(57)【特許請求の範囲】
【請求項１】
画像を読み取る読取部を備え、
自動原稿搬送装置により原稿を前記読取部上で搬送させながら、前記読取部により原稿を読み取る画像読取装置であって、
原稿の搬送方向に直交する方向に沿った、前記読取部上の複数の領域に光を照射する照明手段と、
前記照明手段の点灯を制御する点灯制御手段と、
前記読取部上の汚れの有無を判断し、汚れを検出する汚れ検出手段と、を備え、
前記点灯制御手段は、前記汚れ検出手段により汚れが検出された位置に対応する前記領域に光を照射するように前記照明手段の点灯を制御し、
前記汚れ検出手段は、前記照明手段から照射された光の反射光を監視し、検出した汚れの位置における輝度値が所定の閾値以上である場合、当該位置において清掃有りとして検出する汚れ位置監視手段を含むことを特徴とする、画像読取装置。
【請求項２】
前記汚れ検出手段は、前記読取部上に原稿が無い状態で前記読取部により読み取られた画像データに基づいて、汚れを検出することを特徴とする、請求項１に記載の画像読取装置。
【請求項３】
前記汚れ検出手段は、前記汚れ位置監視手段により清掃有りが検出された場合、前記読取部上の汚れの有無を再度判断することを特徴とする、請求項１または２に記載の画像読取装置。
【請求項４】
前記汚れ検出手段が汚れを検出している間、前記自動原稿搬送装置による原稿の搬送を待機させる待機制御手段を備えることを特徴とする、請求項１〜３のいずれか１項に記載の画像読取装置。
【請求項５】
前記点灯制御手段は、前記汚れ検出手段により汚れが検出された位置に対応する前記領域を前記照明手段に点灯させる場合、前記読取部による読取時よりも光量を低く制御することを特徴とする、請求項１〜４のいずれかに記載の画像読取装置。
【請求項６】
画像を読み取る読取部を備え、自動原稿搬送装置により原稿を前記読取部上で搬送させながら、前記読取部により原稿を読み取る画像読取装置の制御方法であって、
原稿の搬送方向に直交する方向に沿った、前記読取部上の複数の領域に光を照射する照明手段の点灯を制御する点灯制御工程と、
前記読取部上の汚れの有無を判断し、汚れを検出する汚れ検出工程と、を含み、
前記点灯制御工程は、前記汚れ検出工程により汚れが検出された位置に対応する前記領域に光を照射するように前記照明手段の点灯を制御し、
前記汚れ検出工程は、前記照明手段から照射された光の反射光を監視し、検出した汚れの位置における輝度値が所定の閾値以上である場合、当該位置において清掃有りとして検出する汚れ位置監視工程を含むことを特徴とする、画像読取装置の制御方法。
【請求項７】
請求項１〜５のいずれか１項に記載の画像読取装置と、
画像形成手段とを備えることを特徴とする画像形成装置。
【発明の詳細な説明】
【技術分野】
【０００１】
本発明は、特に原稿台に付着したゴミや汚れなどを検出する画像読取装置、それを備えた画像形成装置および画像読取装置の制御方法に関する。
【背景技術】
【０００２】
従来、原稿台に付着したゴミや汚れを検知した場合に、清掃すべき位置を特定し易くする画像読取装置が知られている。例えば特許文献１には、原稿読み取りガラス上に汚れが検出された場合に、ガラス清掃モードを実行し、原稿読み取りガラス上の原稿を照明するための照明手段を点灯制御する画像読取装置が記載されている。
【先行技術文献】
【特許文献】
【０００３】
【特許文献１】特開２００６−１２９１６２号公報（２００６年５月１８日公開）
【発明の概要】
【発明が解決しようとする課題】
【０００４】
しかしながら、上述のような従来技術は、照明手段により原稿読み取りガラスを照射することで原稿読み取りガラス上の汚れの確認をし易くすることができるが、汚れの確認はユーザの目視によるため、小さな汚れを確認することは困難である。このため、汚れの位置を確実に特定することができないといった問題がある。
【０００５】
本発明は、上記課題を解決するためになされたものであり、この発明の目的は、原稿読取位置に付着した汚れを確実に除去することが可能な画像読取装置、それを備えた画像形成装置および画像読取装置の制御方法を提供することである。
【課題を解決するための手段】
【０００６】
上記の課題を解決するために、本発明の画像読取装置は、画像を読み取る読取部を備え、自動原稿搬送装置により原稿を前記読取部上で搬送させながら、前記読取部により原稿を読み取る画像読取装置であって、原稿の搬送方向に直交する方向に沿った、前記読取部上の複数の領域に光を照射する照明手段と、前記照明手段の点灯を制御する点灯制御手段と、前記読取部上の汚れの有無を判断し、汚れを検出する汚れ検出手段と、を備え、前記点灯制御手段は、前記汚れ検出手段により汚れが検出された位置に対応する前記領域に光を照射するように前記照明手段の点灯を制御する。
【０００７】
上記の構成によれば、読取部上の汚れの有無が判断され、汚れが検出され、汚れが検出された位置に対応する領域に光が照射される。このため、ユーザは、点灯している照明手段を確認することで、読取部上の汚れの位置を特定することができる。よって、清掃により、読取部に付着した汚れを確実に除去することすることができる。したがって、原稿読取位置に付着した汚れを確実に除去することが可能な画像読取装置を提供することができる。
【０００８】
また、本発明の画像読取装置において、前記汚れ検出手段は、前記読取部上に原稿が無い状態で前記読取部により読み取られた画像データに基づいて、汚れを検出する。
【０００９】
上記の構成によれば、得られる画像データに文字などが含まれないので、文字と汚れとを区別する必要がない。これにより、汚れを検出する処理を早くすることができる。
【００１０】
また、本発明の画像読取装置において、前記汚れ検出手段は、前記照明手段から照射された光の反射光を監視し、検出した汚れの位置における輝度値が所定の閾値以上である場合、当該位置において清掃有りとして検出する汚れ位置監視手段を含む。
【００１１】
清掃の際には、例えば白系の色の清掃道具を使用することにより汚れの位置が拭取られるので、照明手段の光が清掃道具に反射する。これにより、汚れの位置における輝度値の高低の変化は大きい。一方、読取部上の汚れ位置が用紙などの反射部材によって塞がれる場合、輝度値の高低の変化は小さい。したがって、上記の構成によれば、汚れの位置において清掃有りとして検出する精度を高めることができる。
【００１２】
また、本発明の画像読取装置において、前記汚れ検出手段は、前記汚れ位置監視手段により清掃有りが検出された場合、前記読取部上の汚れの有無を再度判断する。また、前記汚れ検出段が汚れを検出している間、前記自動原稿搬送装置による原稿の搬送を待機させる待機制御手段を備える。
【００１３】
上記の構成によれば、読取部により読み取られて得られる原稿画像に筋が入る可能性を低くすることができる。
【００１４】
また、本発明の画像読取装置において、前記点灯制御手段は、前記汚れ検出手段により汚れが検出された位置に対応する前記領域を前記照明手段に点灯させる場合、前記読取部による読取時よりも光量を低く制御する。
【００１５】
上記の構成によれば、ユーザが点灯している照明手段を確認する際の眩しさを軽減することができる。また、消費電力を抑えることができる。
【００１６】
上記の課題を解決するために、本発明の制御方法は、画像を読み取る読取部を備え、自動原稿搬送装置により原稿を前記読取部上で搬送させながら、前記読取部により原稿を読み取る画像読取装置の制御方法であって、原稿の搬送方向に直交する方向に沿った、前記読取部上の複数の領域に光を照射する照明手段の点灯を制御する点灯制御工程と、前記読取部上の汚れの有無を判断し、汚れを検出する汚れ検出工程とを含み、前記点灯制御工程は、前記汚れ検出工程により汚れが検出された位置に対応する前記領域に光を照射するように前記照明手段の点灯を制御する。
【００１７】
上記の構成によれば、原稿読取位置に付着した汚れを確実に除去することが可能な画像読取装置の制御方法を提供することができる。
【発明の効果】
【００１８】
本発明は、原稿読取位置に付着した汚れを確実に除去することができるといった効果を奏する。
【図面の簡単な説明】
【００１９】
【図１】本発明の実施の形態における画像形成装置の縦断面図である。
【図２】画像読取部の構成の一例を示す図である。
【図３】原稿台の構成を示す図である。
【図４】画像形成装置のハードウエア構成の一例を示すブロック図である。
【図５】画像形成装置が備える制御部の機能の一例を示すブロック図である。
【図６】汚れ位置監視部による監視結果の一例を示すグラフである。
【図７】原稿移動方式による原稿読取処理の流れの一例を示すフローチャートである。
【発明を実施するための形態】
【００２０】
図面を参照しつつ、本発明の実施の形態について説明する。以下の説明では、同一の部品には同一の符号を付してある。それらの名称および機能も同じである。したがって、それらについての詳細な説明は繰り返さない。
【００２１】
（画像形成装置の構成）
図１は、本発明の実施の形態における画像形成装置の縦断面図である。画像形成装置１００は画像読取機能、複写機能およびファクシミリ機能等を有しており、画像読取部２、画像形成部３、給紙部４および排紙部５を備えている。図２は、画像読取部の構成の一例を示す図である。図１，２を参照して、画像形成装置１００の構成について説明する。
【００２２】
画像読取部２は、透明ガラスを含む原稿台１１、原稿台１１上へ自動的に原稿を供給するための自動原稿搬送装置（ＳＰＦ）１２、および原稿の画像を走査して読み取るための原稿画像読取ユニット、すなわちスキャナユニット１３を備えている。
【００２３】
自動原稿搬送装置１２は、装置本体の上に配置され、スキャナユニット１３が装置本体上方に固定配置される。自動原稿搬送装置１２とスキャナユニット１３とはヒンジ（図示せず）によって連結され、自動原稿搬送装置１２はヒンジの回動によってスキャナユニット１３に対して開閉可能となっている。
【００２４】
自動原稿搬送装置１２は、原稿トレイ（原稿セット台）５１上にセットされた複数枚の原稿を原稿給紙ローラ５３が回転することにより１枚ずつ自動的にスキャナユニット１３の原稿台１１上へ送給する。自動原稿搬送装置１２は、使用者の選択に応じて原稿の片面または両面をスキャナユニット１３に読み取らせるように、片面原稿のための搬送経路、両面原稿のための搬送経路、および搬送経路切り換え手段などを備えている。
【００２５】
スキャナユニット１３は、原稿面上を露光する照明装置および第１反射ミラーを搭載する第１走査ユニット１４と、第２および第３反射ミラーを搭載する第２走査ユニット１５と、光学レンズ体１６と、複数の光電変換素子（ＣＣＤ）１７とを備えている。
【００２６】
複数のＣＣＤ１７は、ライン状に並んでラインセンサを構成し、原稿からの反射光像を電気信号すなわち画像信号に変換する。第１走査ユニット１４および第２走査ユニット１５は、原稿からの反射光像を第１〜第３反射ミラーにより複数のＣＣＤ１７に導く。具体的には、第１走査ユニット１４は、照明装置が原稿台１１を介して原稿表面に照射する。これにより、原稿表面に照射された光の反射光は、原稿台１１を介して第１走査ユニット１４に入射する。第１走査ユニット１４に入射した光は、第１走査ユニット１４および第２走査ユニット１５が備える第１〜第３反射ミラーにより複数のＣＣＤ１７に導かれる。光学レンズ体１６は、原稿からの反射光像を各ＣＣＤ１７上に結像させる。
【００２７】
スキャナユニット１３は、ユーザが原稿を原稿台１１上に載置して原稿画像を読み取る原稿固定方式による画像読み取りと、自動原稿搬送装置１２によって自動的に原稿を搬送しながら原稿画像を読み取る原稿移動方式の両方式に対応している。図３に示されるように、原稿台１１には、原稿固定方式に対応するＯＣ読取部５７と、原稿移動方式に対応するＳＰＦ読取部５５とが含まれる。
【００２８】
スキャナユニット１３は、原稿固定方式によって原稿画像を読み取る場合、ＯＣ読取部５７上に載置された原稿に対して光を照射しながら一定の速度で移動して原稿の画像を走査する。自動原稿搬送装置１２の下面は、スキャナユニット１３のＯＣ読取部５７上に載置された読み取り原稿を上から押さえる押さえ板となっている。
【００２９】
スキャナユニット１３は、原稿移動方式によって原稿画像を読み取る場合、第１走査ユニット１４をＳＰＦ読取部５５の下方のＳＰＦ読取位置に静止させたまま、自動原稿搬送装置１２によってＳＰＦ読取部５５を通過するように搬送される原稿に対して光を照射して画像を走査する。これにより、原稿の片面を読み取ることができる。原稿の両面を読み取る場合、自動原稿搬送装置１２の内部に設けられた読取装置により、他方の面が読み取られる。
【００３０】
原稿画像をスキャナユニット１３により読み取ることで得られた画像データは、所定の画像処理が施された後、出力指示に応じて画像形成部３に出力され、感光体ドラム２２上においてトナー像として可視画像化される。その後、感光体ドラム２２上のトナー像は、用紙上に転写され、用紙に定着される。
【００３１】
上記の処理を行うため、画像形成部３は、レーザ書き込みユニット（ＬＳＵ）２１および電子写真プロセス部１８を備えている。
【００３２】
レーザ書き込みユニット２１は、半導体レーザ、ポリゴンミラー、およびｆ−θレンズ等を有している。半導体レーザは、画像処理後の画像データ、またはパーソナルコンピュータ等の外部機器から転送されてきた画像データに応じてレーザ光を出射する。ポリゴンミラーは、レーザ光を等角速度偏向する。ｆ−θレンズは、等角速度偏向されたレーザ光が感光体ドラム２２上を等速度で走査するように補正する。
【００３３】
電子写真プロセス部１８は、感光体ドラム２２の周囲に、帯電装置２３、現像装置２４、転写装置２５、剥離装置２６、クリーニング装置２７および除電装置が配置され、さらに感光体ドラム２２の下流側に定着装置２８が配置された構成である。
【００３４】
給紙部４は、第１〜第３カセット３１〜３３および手差しトレイ３５を有している。さらに、適宜大容量カセット３４が追加される。第１カセット３１は、第１のトレイおよび第２のトレイを収容するタンデムトレイであり、両トレイを装置本体から同時に引き出し可能となっている。
【００３５】
第２カセット３２および第３カセット３３は、それぞれ第３のトレイ、第４のトレイを収容する。すなわち、３つのカセット３１〜３３に４つのトレイが収容されている。給紙搬送部３７，３８は、感光体ドラム２２と転写装置２５との間の転写位置に給紙部４の用紙を搬送する。このために、給紙ローラ、搬送ローラ、レジストローラを備えている。
【００３６】
給紙部４における第１〜第３カセット３１〜３３の４つのトレイには、用紙がサイズ毎に積載されて収容されている。給紙部４では、使用者によりいずれかのトレイが選択されると、選択されたトレイ内の用紙を上から１枚ずつ送り出す。それら用紙は、給紙搬送部３７もしくは給紙搬送部３８を経由して、順次電子写真プロセス部１８へ向けて搬送される。
【００３７】
また、定着装置２８よりも用紙搬送方向下流側には、用紙排出路２９が設けられている。この用紙排出路２９は、排紙部５の排紙搬送路４１と両面複写のための搬送部４２とに分岐している。
【００３８】
画像形成部３において、画像処理後の画像データは、レーザ書き込みユニット２１がレーザ光線を走査させることにより、感光体ドラム２２の表面上に静電潜像として形成される。この静電潜像は、現像装置２４のトナーにて現像され、得られたトナー像は、給紙部４から搬送された用紙上に転写装置２５により転写され、定着装置２８によって用紙上に定着される。また、現像装置２４には、トナー補給装置２０から適宜トナーが補給される。
【００３９】
このようにして画像が形成された用紙は、定着装置２８から排紙部５へ、あるいは両面複写のために搬送部４２へと選択的に搬送される。排紙部５に送られた用紙は、必要に応じてソートあるいはステープル処理等の所定の処理が施され、第１排出卜レイ４３または第２排出卜レイ４４にスタックされる。また、両面複写のために搬送部４２に送られた用紙は、ここで反転され再び電子写真プロセス部１８に搬送されて、用紙の裏面に画像が形成され、定着装置２８を経て排出される。
【００４０】
図４は、画像形成装置のハードウエア構成の一例を示すブロック図である。図４に示されるように、画像形成装置１００は、制御部１０１と、スキャナ部１１０と、画像処理部１２０と、画像形成部３と、記憶装置１３０と、給紙部４と、操作パネル１４０と、データ通信制御部１５０と、ＳＰＦ開閉検知センサ１６０とを含む。
【００４１】
制御部１０１は、スキャナ部１１０、画像処理部１２０、画像形成部３、記憶装置１３０、給紙部４、操作パネル１４０、データ通信制御部１５０およびＳＰＦ開閉検知センサ１６０と接続され、画像形成装置１００の全体を制御する。
【００４２】
操作パネル１４０は、画像形成装置１００の上面に設けられ、表示部１４１と操作部１４３とを含む。表示部１４１は、液晶表示装置、有機ＥＬＤ等の表示装置であり、ユーザに対する指示メニューや取得した画像データに関する情報等を表示する。操作部１４３は、複数のキーを備え、キーに対応するユーザの操作による各種の指示、文字、数字などのデータの入力を受け付ける。操作部１４３は、表示部１４１上に設けられたタッチパネルをさらに含む。
【００４３】
データ通信制御部１５０は、ＴＣＰまたはＵＤＰ等の通信プロトコルで通信するためのインターフェースであるＬＡＮ端子を有する。データ通信制御部１５０は、制御部１０１からの指示に従って、ＬＡＮ端子に接続された外部機器との間でデータを送受信する。
【００４４】
スキャナ部１１０は、画像読取部２と、照明装置（照明手段）を構成する複数の点灯部１１１と、自動原稿搬送装置１２によって原稿を搬送させるための駆動系とを含む。点灯部１１１は、ＬＥＤなどの照明装置である。具体的には、図３に示されるように、主走査方向（原稿の搬送方向に直交する方向）に並んで配置され、制御部１０１からの指示に応じて点灯する。このため、複数の点灯部１１１それぞれに対向するＳＰＦ読取部５５上の領域に、光の照射対象となる領域が複数形成される。
【００４５】
なお、図３では、７個の点灯部１１１を並設することによりＳＰＦ読取部５５の領域を７等分する例を示しているが、２個以上の点灯部１１１を用いてＳＰＦ読取部５５を２以上の領域に等しく分割するようにしてもよい。
【００４６】
画像処理部１２０は、スキャナユニット１３により読み取られた画像データに対して所定の画像処理を実行したり、印刷用の画像データやデータ転送用の画像データに変換する。画像処理部１２０は、画像処理後の画像データを記憶装置１３０に記憶する。また、画像処理部１２０は、印刷用または転送用の画像データに変換した場合、その画像データをデータ通信制御部１５０を介して外部機器に出力する。外部機器としては、レーザプリンタやインクジェットプリンタなどの印刷装置２００や、ＰＣやＦＡＸなどのデータ送受信装置３００が含まれる。
【００４７】
記憶装置１３０は、ＨＤＤなどの記録媒体であり、制御部１０１が実行するプログラム、またはそのプログラムを実行するために必要なデータや画像処理後の画像データを記憶する。
【００４８】
画像形成部３は、スキャナユニット１３により読み取られた画像データを記憶装置１３０から取得し、その画像データに基づいて、給紙部４から供給される用紙上に画像を形成する。
【００４９】
ＳＰＦ開閉検知センサ１６０は、自動原稿搬送装置１２の開閉を検知するセンサであり、自動原稿搬送装置１２の下面のうち原稿台１１の透明ガラス以外の部分と対向する位置に埋め込まれている。ＳＰＦ開閉検知センサ１６０は、自動原稿搬送装置１２の下面において出没する棒状のアクチュエータを有している。
【００５０】
アクチュエータは、自動原稿搬送装置１２が閉じられることにより押圧されて没入し、自動原稿搬送装置１２が開かれると、押圧から開放されて突出する。ＳＰＦ開閉検知センサ１６０は、アクチュエータが自動原稿搬送装置１２から突出した状態で内部の接点がオフすることにより、制御部１０１にオフ信号を出力し、アクチュエータが自動原稿搬送装置１２に没入した状態で内部の接点がオンすることにより、制御部１０１にオン信号を出力する。
【００５１】
（制御部の機能）
図５は、画像形成装置が備える制御部の機能の一例を示すブロック図である。図５に示されるように、制御部１０１は、開閉検出部１７１と、汚れ検出部（汚れ検出手段）１７３と、清掃要求画面表示部１７５と、点灯制御部（点灯制御手段）１７７とを含む。
【００５２】
開閉検出部１７１は、ＳＰＦ開閉検知センサ１６０が出力する信号に基づいて、自動原稿搬送装置１２の開状態および閉状態を検出する。具体的には、ＳＰＦ開閉検知センサ１６０からオフ信号が入力されると、自動原稿搬送装置１２の開状態を検出し、ＳＰＦ開閉検知センサ１６０からオン信号が入力されると、自動原稿搬送装置１２の閉状態を検出する。
【００５３】
開閉検出部１７１は、自動原稿搬送装置１２の開状態を検出すると、開状態検出信号を汚れ検出部１７３および点灯制御部１７７に出力し、自動原稿搬送装置１２の閉状態を検出すると、閉状態検出信号を汚れ検出部１７３および点灯制御部１７７に出力する。なお、ＳＰＦ読取部５５における原稿の読取は、自動原稿搬送装置１２が閉状態のときに可能である。
【００５４】
汚れ検出部１７３は、ＳＰＦ読取部５５に原稿が無い状態でスキャナユニット１３により読み取られたデータに基づいて、ＳＰＦ読取部５５における汚れの有無を検出する。画像形成装置１００は、自動原稿搬送装置１２による原稿の読取指示が操作部１４３に入力されると、スキャナユニット１３が備える第１走査ユニット１４をＳＰＦ読取位置に移動させ、ＳＰＦ読取部５５への原稿の搬送を待機する。
【００５５】
操作部１４３に入力される原稿読取指示が自動原稿搬送装置１２による原稿の読取指示か否かは、原稿トレイ５１に原稿がセットされた状態で、操作部１４３に原稿の読取指示が入力されたか否かを判断すればよい。原稿トレイ５１に原稿がセットされているか否かの検知は、周知の技術であるので、その詳細については説明を繰り返さない。
【００５６】
ＳＰＦ読取部５５への原稿の搬送を待機している状態において、スキャナユニット１３は、原稿の読取に先立ってＳＰＦ読取部５５に原稿がない状態で読み取ったデータを生成する。そのデータは、画像処理部１２０により所定の画像処理が実行された後、記憶装置１３０に記憶される。
【００５７】
ここで、ＳＰＦ読取部５５において汚れが付着している場合、原稿がない状態で読み取られた画像に、黒筋などが発生する。汚れ検出部１７３は、スキャナユニット１３により原稿無しの状態で読み取られたデータを記憶装置１３０から読み出し、読み出されたデータに黒画素が含まれる場合、黒画素部分に対応するＳＰＦ読取部５５上の位置を監視対象位置に設定し、ＳＰＦ読取部５５において汚れ有りとして検出する。複数の黒画素が含まれる場合、複数の監視対象位置が設定される。なお、黒画素部分に対応するＳＰＦ読取部５５上の位置は、黒画素を検出したＣＣＤ１７のラインセンサにおける割り当て位置により特定すればよい。汚れ検出部１７３は、記憶装置１３０から読み出されたデータに黒画素が含まれない場合、ＳＰＦ読取部５５において汚れ無しとして検出する。
【００５８】
汚れ検出部１７３は、ＳＰＦ読取部５５において汚れ有りと検出した場合、監視対象位置を含めた汚れ検出信号を清掃要求画面表示部１７５および点灯制御部１７７に出力する。
【００５９】
また、汚れ検出部１７３は、ＳＰＦ読取部５５において汚れ有りと検出した場合において、ＳＰＦ読取部５５における汚れの位置についての清掃を検出すると、清掃検出信号を清掃要求画面表示部１７５および点灯制御部１７７に出力する。清掃検出信号については後述する。
【００６０】
汚れ検出部１７３は、ＳＰＦ読取部５５において汚れ無しとして検出した場合、待機中であった原稿の搬送を開始させ、原稿読取の開始をスキャナユニット１３に指示する。
【００６１】
清掃要求画面表示部１７５は、汚れ検出部１７３により汚れ検出信号が入力されると、表示部１４１に清掃要求画面を表示する。清掃要求画面は、ＳＰＦ読取部５５において汚れを検出したことを示すメッセージや清掃をユーザに促すメッセージなどを含む画面である。このため、表示部１４１に表示された清掃要求画面を見るユーザに対して、ＳＰＦ読取部５５の清掃を促すことができる。
【００６２】
また、清掃要求画面表示部１７５は、汚れ検出部１７３から入力される信号が汚れ検出信号から清掃検出信号に変化すると、清掃要求画面の表示を終了する。
【００６３】
点灯制御部１７７は、汚れ検出部１７３により検出された汚れの位置に対応する点灯部１１１を点灯させる。ここで、清掃要求画面表示部１７５により表示された清掃要求画面に従ってユーザが清掃を開始し、終了する間（以下、「清掃期間」という）においては、清掃の開始とともにユーザにより自動原稿搬送装置１２が開けられ、原稿の読取を開始させるために清掃の終了とともに自動原稿搬送装置１２が閉じられる。このため、清掃期間において、点灯制御部１７７が開閉検出部１７１により入力される信号は、開状態検出信号から閉状態検出信号に変化する。
【００６４】
点灯制御部１７７は、汚れ検出部１７３から入力される信号が汚れ検出信号から清掃検出信号に変化するまでの間、汚れ検出信号に含まれる監視対象位置に対応する点灯部１１１を点灯させる。ただし、点灯制御部１７７による点灯は、開閉検出部１７１から開状態検出信号が入力されてから閉状態検出信号が入力されるまでの間である。
【００６５】
なお、点灯制御部１７７は、汚れ検出部１７３により検出された汚れの位置に対応する点灯部１１１の点灯の光量を、原稿の読取時よりも低く（暗く）制御する。これにより、清掃時にユーザが自動原稿搬送装置（原稿台カバー）１２を開けたときの眩しさを軽減することができるとともに、電力の消費を抑えることができる。
【００６６】
図３においては、汚れの位置に対応する点灯部１１１が点灯していることを網掛けで示している。このため、点灯している点灯部１１１の位置をユーザが確認することで清掃すべき汚れの位置を容易に特定することができる。また、汚れの位置が清掃されると、その位置に対応する点灯部１１１の点灯が終了するので、ユーザはＳＰＦ読取部５５における汚れの位置を清掃できたことを点灯部１１１の点灯から消灯への変化により確認することができる。
【００６７】
汚れ検出部１７３は、汚れ位置監視部（汚れ位置監視手段）１８１を含む。汚れ位置監視部１８１は、開閉検出部１７１により自動原稿搬送装置１２の開状態が検出されている状態において、監視対象位置に対応する点灯部１１１が発する光を受けたＣＣＤ１７の輝度値の高低の変化を監視する。
【００６８】
清掃期間において、ユーザが清掃に使用するための清掃道具は、例えば白系の色を着色した清掃道具である。ＳＰＦ読取部５５において、点灯している点灯部１１１に対応する位置がユーザにより拭き取られると、点灯部１１１から照射された光が清掃道具に反射し、ＣＣＤ読取口からＣＣＤ１７に光が入射される。これにより、ＣＣＤ１７が受けた光は、清掃道具が汚れの位置にないときに比べて輝度値が高くなる。また、輝度値が高くなっている時間は、ユーザにより汚れの位置が拭取られている時間に相当する。
【００６９】
汚れ位置監視部１８１は、監視対象位置における輝度値の和が所定時間、所定の閾値Ｓ以上に高く変化したならば、監視対象位置が清掃されたと判断するが、そうでなければ清掃されていないと判断する。
【００７０】
汚れ位置監視部１８１は、監視対象位置が清掃されたと判断する場合、監視対象位置における輝度値の監視を終了し、清掃検出信号を生成する。監視対象位置が清掃されていないと判断する場合、監視対象位置における輝度値の監視を維持する。
【００７１】
図６は、汚れ位置監視部による監視結果の一例を示すグラフである。グラフの横軸は時間を示し、グラフの縦軸は輝度を示す。グラフは、ＳＰＦ読取部５５において検出された汚れの清掃前後における監視対象位置に対応する点灯部１１１が発する光を受けたＣＣＤ１７の輝度値の和を示している。
【００７２】
時間Ｔ１において、ユーザにより清掃が開始される。このとき、ユーザは、ＳＰＦ読取部５５における汚れの検出により表示された清掃要求画面に従って、自動原稿搬送装置１２を開ける。また、このときには、監視対象位置における輝度値の和は閾値Ｓより小さい。
【００７３】
清掃の際、汚れの有る位置に対応する点灯部１１１が点灯しているため、ユーザは容易に汚れの位置を特定することができる。時間Ｔ２おいてユーザにより汚れの位置が拭取る動作により清掃されると、点灯している点灯部１１１の光が清掃に使用された清掃道具に反射し、ＣＣＤ１７に入射される。これにより、ＣＣＤ１７が受けた光の輝度値は、清掃道具が汚れの位置にないときより高くなる。したがって、所定時間内において、監視対象位置における輝度値の高低の変化を監視することで、ユーザにより清掃されたか否かを検出することができる。
【００７４】
（原稿読取処理の流れ）
図７は、原稿読取処理の流れの一例を示すフローチャートである。原稿読取処理は、制御部１０１が記憶装置１３０に記憶された原稿読取プログラムを実行することにより、実行される処理である。図７に示されるように、制御部１０１は、原稿読取指示があったか否かを判断する（ステップＳ０１）。原稿読取指示が原稿固定方式の原稿読取指示であったならば処理をステップＳ０９に進め、原稿移動方式の原稿読取指示であったならば処理をステップＳ０２に進める。
【００７５】
ステップＳ０２においては、制御部（待機制御手段）１０１は、自動原稿搬送装置１２による原稿の搬送を待機させ、汚れ検出部１７３は、ＳＰＦ読取部５５においてスキャナユニット１３により原稿無しの状態で読み取られたデータを取得する。
【００７６】
次のステップＳ０３においては、汚れ検出部１７３は、ステップＳ０２において取得されたデータに基づいて、ＳＰＦ読取部５５における汚れの有無を判断する。具体的には、原稿無しで読み取られたデータに、黒画素が含まれるか否かを判断する。原稿無しで読み取られたデータに、黒画素が含まれるならば汚れ有と判断し、処理をステップＳ０４に進めるが、そうでなければ汚れ無と判断し、処理をステップＳ０９に進める。
【００７７】
ここで、原稿無しで読み取られたデータに、黒画素が含まれる場合（ステップＳ０３でＹＥＳ）、その画素部分を監視対象位置に設定し、監視対象位置に対応するＣＣＤ１７の輝度値の監視を開始する。
【００７８】
ステップＳ０４においては、清掃要求画面表示部１７５は、表示部１４１に清掃要求画面を表示し、処理をステップＳ０５に進める。
【００７９】
ステップＳ０５においては、開閉検出部１７１は、自動原稿搬送装置１２の開状態を検出したか否かを判断する。具体的には、ＳＰＦ開閉検知センサ１６０が出力するオフ信号により開状態を検出する。自動原稿搬送装置１２の開状態を検出したならば処理をステップＳ０６に進める。
【００８０】
なお、ステップＳ０５において開閉検出部１７１が開状態を検出すると、制御部１０１は、スキャナユニット１３が備える第１走査ユニット１４をＳＰＦ読取位置に移動させる。
【００８１】
ステップＳ０６においては、点灯制御部１７７は、汚れ位置を点灯する。具体的には、ステップＳ０３において設定された監視対象位置に対応する点灯部１１１を点灯する。これにより、スキャナユニット１３が備える第１走査ユニット１４がＳＰＦ読取位置に位置する状態で、監視対象位置に対応する点灯部１１１を点灯するので、ユーザは、ＳＰＦ読取部５５における清掃すべき位置を点灯位置により知ることができる。
【００８２】
なお、清掃の際には、白系の色を着色した清掃道具が使用され、点灯部１１１から照射された光が汚れ位置の拭取りに使用されている清掃道具に反射し、ＣＣＤ読取口からＣＣＤ１７に光が入射される。このため、清掃の際、監視対象位置に対応する点灯部１１１が発する光を受けたＣＣＤ１７の輝度値は、清掃道具が汚れの位置にないときに比べて高くなる。輝度値が高くなっている時間は、ユーザにより汚れが拭取られている時間に相当する。
【００８３】
次のステップＳ０７においては、汚れ位置監視部１８１は、ステップＳ０３において検出された汚れの位置における清掃を検知したか否かを判断する。汚れ位置監視部１８１は、ステップＳ０３において設定された監視対象位置における輝度値を監視しており、監視対象位置における輝度値が所定時間、閾値Ｓ以上に変化したか否かを判断する。監視対象位置における輝度値が所定時間、閾値Ｓ以上に変化したならば、清掃があったと判断し、処理をステップＳ０８に進めるが、そうでなければ清掃無しと判断し、処理をステップＳ０４に戻す。
【００８４】
なお、清掃があったと判断した場合（ステップＳ０７でＹＥＳ）、監視対象位置における輝度値の監視を終了し、清掃がなかったと判断した場合（ステップＳ０７でＮＯ）、監視対象位置における輝度値の監視を維持する。
【００８５】
ステップＳ０８においては、清掃要求画面表示部１７５は、清掃要求画面の表示を終了し、点灯制御部１７７は、ステップＳ０７において清掃が検知された位置に対応する点灯部１１１の点灯を終了し、処理をステップＳ０２に戻す。
【００８６】
ここで、ステップＳ０８からステップＳ０２に処理を戻すことにより、汚れ検出部１７３は、ＳＰＦ読取部５５においてスキャナユニット１３により原稿無しの状態で新たにデータを読み取り、読み取ったデータを取得するようにする。これにより、ステップＳ０３において、汚れがなくなったか否かを確認することができる。
【００８７】
ステップＳ０９においては、制御部１０１は、原稿の読取をスキャナユニット１３に指示し、原稿読取処理を終了する。ステップＳ０１における原稿読取指示が原稿固定方式による原稿読取指示の場合、制御部１０１は、原稿固定方式による原稿の読取をスキャナユニット１３に指示する。ステップＳ０１における原稿読取指示が原稿移動方式による原稿読取指示の場合、制御部（待機制御手段）１０１は、ステップＳ０２において待機していた自動原稿搬送装置１２に指示して、原稿の搬送を開始させ、汚れ検出部１７３は、原稿移動方式による原稿の読取をスキャナユニット１３に指示する。
【００８８】
なお、ここでは、汚れがなくなっているか否かの確認のために、ステップＳ０８からステップＳ０２に処理を戻す場合を例に説明したが、ステップＳ０８からステップＳ０９に処理を進めるようにしてもよい。
【００８９】
本実施の形態においては、画像形成装置１００が、画像読取機能および画像形成機能の両方を有する構成について説明したが、それらを別々の装置が備えるようにしてもよい。具体的には、スキャナ部１１０、ＳＰＦ開閉検知センサ１６０および制御部１０１を備える装置を画像読取装置とし、画像形成部２を備える装置を画像形成装置として構成するようにしてもよい。
【００９０】
（まとめ）
以上のように、本発明の画像読取装置は、画像を読み取るＳＰＦ読取部５５を備え、自動原稿搬送装置１２により原稿をＳＰＦ読取部５５上で搬送させながら、ＳＰＦ読取部５５により原稿を読み取る画像読取装置であって、原稿の搬送方向に直交する方向に沿った、ＳＰＦ読取部５５における複数の領域に光を照射する点灯部１１１と、点灯部１１１の点灯を制御する点灯制御部１７７と、ＳＰＦ読取部５５における汚れの有無を判断し、汚れを検出する汚れ検出部１７３とを備え、点灯制御部１７７は、汚れ検出部１７３により汚れが検出された位置に対応する領域に光を照射するように点灯部１１１の点灯を制御する。
【００９１】
このため、ユーザは、点灯している点灯部１１１を確認することで、ＳＰＦ読取部５５における汚れの位置を特定することができる。よって、清掃により、ＳＰＦ読取部５５に付着した汚れを確実に除去することすることができる。
【００９２】
なお、本実施の形態においては、複数の点灯部１１１を備える構成としたが、この形態に限定されるものではない。例えば、主走査方向に沿って移動可能な１つの点灯部１１１のみを備えていてもよい。この場合、制御部１０１は、汚れ検出部１７３により検出された位置に点灯部１１１を移動させ、点灯させればよい。
【００９３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００９４】
最後に、画像形成装置１００の各ブロック、特に制御部１０１は、ハードウェアロジックによって構成してもよいし、次のようにＣＰＵを用いてソフトウェアによって実現してもよい。
【００９５】
すなわち、画像形成装置１００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである画像形成装置１００の制御プログラムのプログラムコード（実行形式プログラム、中間コードプログラム、ソースプログラム）をコンピュータで読み取り可能に記録した記録媒体を、上記画像形成装置１００に供給し、そのコンピュータ（またはＣＰＵやＭＰＵ）が記録媒体に記録されているプログラムコードを読み出し実行することによっても、達成可能である。
【００９６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ（登録商標）／フラッシュＲＯＭ等の半導体メモリ系などを用いることができる。
【００９７】
また、画像形成装置１００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【符号の説明】
【００９８】
２  画像読取部
１１  原稿台
１２  自動原稿搬送装置
１３  スキャナユニット
５５  ＳＰＦ読取部
５７  ＯＣ読取部
１００  画像形成装置
１０１  制御部
１１０  スキャナ部
１１１  点灯部
１２０  画像処理部
１３０  記憶装置
１６０  ＳＰＦ開閉検知センサ
１７１  開閉検出部
１７３  汚れ検出部（汚れ検出手段）
１７５  清掃要求画面表示部
１７７  点灯制御部（点灯制御手段）
１８１  汚れ位置監視部（汚れ位置監視手段）
【図１】
0005868720.tif 000002
【図２】
0005868720.tif 000003
【図３】
0005868720.tif 000004
【図４】
0005868720.tif 000005
【図５】
0005868720.tif 000006
【図６】
0005868720.tif 000007
【図７】
0005868720.tif 000008